(57)【要約】      （修正有）【課題】仕切り部の幅が狭くとも設置できると共に、その取り付け作業も容易な侵入者阻止用具を提供する。【解決手段】仕切り部１の上面２に長手方向に沿って配置される横向きな取り付け板部３の幅方向の一方の縁４側を斜め上向きに屈曲させて第一の上部が取り付け板部３の真上であって取り付け板部３の幅方向の他方側に配置される連設板部６を設け、取り付け板部３の幅方向の他方の縁側を端面９に形成し、第一の上部に第一の下部を連設して配置される上向きの先細な第一の突片８を設ける。第一の突片８の第二の上部１２は、取り付け板部３の真上域に配置される。取り付け板部３には上面２に取り付け固定用の第一の貫通部１０が上下方向に設けられており、この第一の貫通部１０に対向して連設板部６に第二の貫通部１１が上下方向に設けられている。侵入者阻止用具を狭い場所にも設置することができる。【選択図】図１
0003175990.tif 000002
【実用新案登録請求の範囲】
【請求項１】
塀、フェンス等の仕切り部の上面に沿って配置される横向きな取り付け板部の幅方向の一方の縁側を該取り付け板部の長手方向に沿って斜め上向きに屈曲させて第一の上部が前記取り付け板部の真上であって該取り付け板部の幅方向の他方側に配置される連設板部を設け、前記取り付け板部の前記幅方向の他方の縁側を端面に形成し、前記第一の上部に第一の下部を連設して配置される上向きの先細な第一の突片を設けることを特徴とする侵入者阻止用具。
【請求項２】
前記第一の突片の第二の上部は、前記取り付け板部の真上に配置されることを特徴とする請求項１記載の侵入者阻止用具。
【請求項３】
前記取り付け板部には前記上面に取り付け固定用の第一の貫通部が上下方向に設けられており、この第一の貫通部に対向して前記連設板部に第二の貫通部が上下方向に設けられていることを特徴とする請求項２記載の侵入者阻止用具。
【請求項４】
前記一方の縁に前記幅方向の内外方向に貫通する第三の貫通部を前記長手方向に沿って設けたことを特徴とする請求項３記載の侵入者阻止用具。
【請求項５】
前記第一の上部は、前記端面の真上又は前記端面の真上よりやや内側に配置されることを特徴とする請求項３又は４記載の侵入者阻止用具。
【請求項６】
前記第一の突片を前記第一の上部の長手方向に沿って間隔をおいて複数設けられ、これら隣接する前記第一の突片間に連結部を介在すると共に、前記連結部に先細な第二の突片を上向きに設けることを特徴とする請求項５記載の侵入者阻止用具。
【考案の詳細な説明】
【技術分野】
【０００１】
本考案は、区画や目隠しなどを目的として設置される塀、フェンス等の仕切り部の上面に取り付ける先細な突片を有する侵入者阻止用具に関するものである。
【背景技術】
【０００２】
従来、この種のものとして図10に示すようにブロック塀21の上面に長手方向に沿って配置される横向きな取り付け板部22に取り付け固定用の貫通部23を設け、取り付け板部22の幅方向の両方の縁側を斜め上向きに屈曲させて取り付け板部22の真上より外側に配置される連設板部24をそれぞれ設け、連設板部24に長手方向に沿って上向きの先細な突片25をそれぞれ連設した侵入者阻止用具が知られている（例えば、特許文献１）。
【特許文献１】意匠登録第1172625号公報
【考案の開示】
【考案が解決しようとする課題】
【０００３】
従来技術においては、連設板部24、突片25の上部は取り付け板部22の外側にはみ出るように配置されているので、取り付け箇所、従来例では境界となるブロック塀21の幅よりはみ出てしまう。このため従来技術においては、狭い取り箇所には取り付けできなかった。
【０００４】
このような問題を解決するには、例えば連設板部24、突片25を取り付け板部22に対して真上に向けることなどが考えられる。しかしながら、このような場合には貫通部23の真上が狭くなり、例えば植え込みボルトやビスなどを貫通部23に通す作業がしにくくなる。
【０００５】
解決しようとする問題点は、仕切り部の幅が狭くとも設置できると共に、その取り付け作業も容易な侵入者阻止用具を提供する点である。
【課題を解決するための手段】
【０００６】
請求項１の考案の侵入者阻止用具は、塀、フェンス等の仕切り部の上面に沿って配置される横向きな取り付け板部の幅方向の一方の縁側を該取り付け板部の長手方向に沿って斜め上向きに屈曲させて第一の上部が前記取り付け板部の真上であって該取り付け板部の幅方向の他方側に配置される連設板部を設け、前記取り付け板部の前記幅方向の他方の縁側を端面に形成し、前記第一の上部に第一の下部を連設して配置される上向きの先細な第一の突片を設けることを特徴とする。
【０００７】
請求項２の考案の侵入者阻止用具は、請求項１において、前記第一の突片の第二の上部は、前記取り付け板部の真上に配置されることを特徴とする。
【０００８】
請求項３の考案の侵入者阻止用具は、請求項２において、前記取り付け板部には前記上面に取り付け固定用の第一の貫通部が上下方向に設けられており、この第一の貫通部に対向して前記連設板部に第二の貫通部が上下方向に設けられていることを特徴とする。
【０００９】
請求項４の考案の侵入者阻止用具は、請求項３において、前記一方の縁に前記幅方向の内外方向に貫通する第三の貫通部を前記長手方向に沿って設けたことを特徴とする。
【００１０】
請求項５の考案の侵入者阻止用具は、請求項３又は４において、前記第一の上部は、前記端面の真上又は前記端面の真上よりやや内側に配置されることを特徴とする。
【００１１】
請求項６の考案の侵入者阻止用具は、請求項５において、前記第一の突片を前記第一の上部の長手方向に沿って間隔をおいて複数設けられ、これら隣接する前記第一の突片間に連結部を介在すると共に、前記連結部に先細な第二の突片を上向きに設けることを特徴とする。
【考案の効果】
【００１２】
請求項１の考案によれば、連設板部の第一の上部は取り付け板部の真上に配置されているので、狭い場所にも設置することができると共に、取り付け工事や保守作業を容易に行うことができる。
【００１３】
請求項２の考案によれば、取り付け板部の幅がある箇所ならばいかなる狭い箇所にも取り付けすることができる。
【００１４】
請求項３の考案によれば、第一の貫通部に対向する第二の貫通部に例えばレンチやねじ回しなどを挿入することで、侵入者阻止用具の幅が狭いものであっても簡単に例えばボルトやビスを回すことができる。
【００１５】
請求項４の考案によれば、第三の貫通部に固定用バンドを貫通させる際、固定用バンドを取り付け板部に可及的に近づけることができので、例えばパイプなどに固定用バンドを巻装したような場合、緩みにくくなる。
【００１６】
請求項５の考案によれば、第一の上部をできるだけ幅方向の他方側に配置することで、第二の貫通部をできるだけ大きくして例えばレンチやねじ回しなどを挿入しやすくできる。
【００１７】
請求項６の考案によれば、隣接する第一の突片間に第二の突片が設けられることにより、突片数が多くなり侵入者の阻止力を高めることができる。
【図面の簡単な説明】
【００１８】
【図１】本考案の第１実施例を示す斜視図である。
【図２】同正面図である。
【図３】同一部切り欠き側面図である。
【図４】本考案の第２実施例を示す一部切り欠き側面図である。
【図５】本考案の第３実施例を示す斜視図である。
【図６】同要部の斜視図である。
【図７】本考案の第４を示す斜視図である。
【図８】本考案の第５実施例を示す斜視図である。
【図９】本考案の第６実施例を示す斜視図である。
【図１０】従来例の斜視図である。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜３は実施例１を示しており、仕切り部１であるフェンス等の上面２に取り付けられる侵入者阻止用具は、上面２の長手方向に沿って載置する横向きな取り付け板部３と、取り付け板部３の幅方向の一方の縁４側を斜め上向きに屈曲させて第一の上部５が取り付け板部３の真上、すなわち取り付け板部３の上面域の一点鎖線で示した真上域Ａ内に配置される連設板部６と、第一の上部５に第一の下部７を連設して配置される上向きの先細な第一の突片８とを備え、取り付け板部３の幅方向の他方の縁側には、延長部はなく端面９を形成している。
【００２１】
取り付け板部３の長手方向Ｘは仕切り部１の長手方向に沿うように配置されるもので、取り付け板部３には長手方向Ｘに沿って取り付け固定用である上下方向の第一の貫通部10が間隔をおいて設けられている。連設板部６は取り付け板部３の長手方向Ｘに沿って全長に設けられている。そして、連設板部６には、第一の貫通部10と対向するように上下方向の第二の貫通部11が設けられている。
【００２２】
第一の上部５は、取り付け板部３の幅方向の他方側の端面９の真上に配置されており、この第一の上部５の真上に第一の突片８の第二の上部12が連設されており、この第二の上部12も真上域Ａ内に配置されている。この第一の突片８は板状であって、その表面、裏面はそれぞれ連設板部６の表面、裏面と面一状に設けられている。そして、この第一の突片８は長手方向Ｘに沿って間隔をおいて複数設けられており、隣接する第一の突片８相互間に連結部13が設けられると共に、この連結部13の中間に第二の突片14が一体に設けられている。この第二の突片14も先鋭で上向きに設けられており、実施例では第二の突片14の第三の上部15は第二の上部12よりも低く配置されている。
【００２３】
尚、この侵入者阻止用具は一枚の平らな金属板を打ち抜き、プレス加工することで、取り付け板部３、この取り付け板部３に対して斜めに屈曲する連設板部６、この連設板部６に対して上向きに屈曲する第一の突片８、さらに第一の突片８相互間に設けられる連結部13、第二の突片14が成形されるようになっている。
【００２４】
前記一方の縁４に幅方向の内外方向を貫通する第三の貫通部16が長手方向Ｘに沿って断続的に設けられている。また第一の上部５（第一の下部７）には幅方向の内外方向を貫通する第四の貫通部17が長手方向Ｘに沿って断続的に設けられている。これら第三の貫通部16、第四の貫通部17は、金属板を屈曲しやすくするためなどに設けられる。
【００２５】
次に、前記構成についてその作用を説明する。取り付け板部３を仕切り部１の上面２に載置する。この際、侵入者阻止用具における連設板部６、第一の突片８、第二の突片14は取り付け板部３の真上に配置されているので、これらの重心も取り付け板部３の真上に配置される結果、連設板部６、第一の突片８、第二の突片14は倒れることなく安定して取り付け板部３は上面２に載置されると共に、固定後においても安定することができる。そして、第一の貫通部10の上方から取り付け固定用のボルトやビスなど固定具18を挿入すると共に上面２に挿入して固定する。この際、ボルトの頭部18Ｈは第一の貫通部10に対向している第二の貫通部11の真下に配置されることになるので、レンチやねじ回しのような工具（図示せず）を第二の貫通部11に挿入して固定具18の頭部18Ｈに係合せしめて固定具18を回して取り付け板部３を仕切り部１の上面２に固定することができる。
【００２６】
したがって、不審者が侵入者阻止用具を乗り越えようとしても、先細な第一の突片８、第二の突片14によって阻止することができる。
【００２７】
以上のように、前記実施例においては請求項１に対応して、仕切り部１の上面２に配置される横向きな取り付け板部３の幅方向の一方の縁４側を斜め上向きに屈曲させて第一の上部５が取り付け板部３の真上であって取り付け板部３の幅方向の他方側、すなわち取り付け板部３の全幅の半分より他方側に配置される連設板部６を設け、取り付け板部３の幅方向の他方の縁側を端面９に形成し、第一の上部５に第一の下部７を連設して配置される上向きの先細な第一の突片８を設けることで、仕切り部１の上面２上において第一の上部５までは外側へのはみ出しはなく、狭い場所にも設置することができると共に、連設板部６、さらには第一の突片８は、取り付け板部３の幅方向の一方の縁４側から立設し、取り付け板部３の幅方向の他方の縁側は端面９となって開放されているので、手などを取り付け板部３の上面２側に入れやすく、取り付け工事や保守作業を容易に行うことができる。
【００２８】
また、前記実施例では請求項２に対応して、第一の突片８の第二の上部12は、取り付け板部３の真上域Ａに配置されることで、侵入者阻止用具における連設板部６、さらには第一の突片８が取り付け板部３の幅内に配置されるので、取り付け板部３の幅がある箇所ならばいかなる狭い箇所にも取り付けすることができる。
【００２９】
さらに、前記実施例では請求項３に対応して、取り付け板部３には上面２に取り付け固定用の第一の貫通部10が上下方向に設けられており、この第一の貫通部10に対向して連設板部６に第二の貫通部11が上下方向に設けられていることで、第一の貫通部10に例えばボルトやビスなど固定具18を配置して取り付け板部３を仕切り部１に固定するとき、第一の貫通部10に対向する第二の貫通部11にレンチやねじ回しなどを挿入することで、侵入者阻止用具の幅が狭いものであっても簡単にボルトやビス等の固定具18を回すことができる。
【００３０】
また、前記実施例では請求項５に対応して、第一の上部５を端面９の真上に配置することで、第二の貫通部11を取り付け板部３の幅方向の他方側にできるだけ大きくすることができ、レンチやねじ回しなどを挿入、操作しやすくなる。
【００３１】
しかも、前記実施例では請求項６に対応して、隣接する第一の突片８間に第二の突片14が設けられることにより、突片数が多くなり侵入者の阻止力を高めることができる。
【実施例２】
【００３２】
以下に、他の実施例について説明する。尚、前記実施例１と同一部分には同一符号を付し、その詳細な説明を省略する。図４に示した実施例２では第一の上部５を取り付け板部３の端面９の真上よりやや内側に配置したものであり、このやや内側の範囲Ｂは端面９を基準として取り付け板部３の全幅Ｃの１／３以内の箇所に設けられている。
【００３３】
前記実施例では実施例１と同様の作用効果を奏すると共に、第二の上部12を端面９の真上よりやや内側に配置することで、第二の貫通部11を取り付け板部３の幅方向の他方側に大きくすることができ、レンチやねじ回しなどを挿入、操作しやすくなる。
【実施例３】
【００３４】
図５，６に示した実施例３では、従来技術の侵入者阻止用具と実施例１の侵入者阻止用具を併用したものであって、ブロック塀21の上面に取り付け板部22を載置してその両側に突片25を配置し、さらに取り付け板部22に、取り付け板部３を載置したものであって、両側に設けられた突片25の内側に第一の突片８、第二の突片14を設けたものであり、貫通部23に第一の貫通部10を重ね合わせた状態でスライドさせて位置合わせを行い、そして、貫通部23、第一の貫通部10に配置した固定具18の頭部18Ｈを、第二の貫通部11を貫通させたねじ回し18Ｄにより回して固定具18を仕切り部１（ブロック塀21）の上面２にねじ込み固定させたものである。
【００３５】
以上のように、前記実施例では突片25の内側に第一の突片８、第二の突片14を設けたことにより、多種多数の突片８，14，25を密に配置することができる。
【実施例４】
【００３６】
図７に示した実施例４では、従来技術の侵入者阻止用具を併用したものであって、実施例４の侵入者阻止用具は、実施例１の侵入者阻止用具において、さらに連結部13の上部に間隔を介して上部連結部13´を設けると共に、上部連結部13´の上方に第二の上部12´を設けたものである。
【００３７】
そして、実施例３と同様に突片25の内側に第一の突片８、第二の突片14を設けたことにより、多種多数の突片８，14，25を密に配置することができると共に、第二の上部12´をより高く設けることができる。
【実施例５】
【００３８】
図８に示した実施例５では、樋等に使用される断面が丸や角のパイプ19或いは柱、梁、軸材等に侵入者阻止用具を利用して装着した場合を示しており、第一の突片８、第二の突片14が放射状に配置されるようにパイプ19の外周に取り付け板部３を当接する。この際、長手方向Ｘをパイプ19の軸心（図示せず）と平行に配置する。そして、第三の貫通部16に固定用バンド20を通して固定用バンド20をパイプ19に巻装、締め付けすることで、侵入者阻止用具を固定する。実施例ではパイプ19の外周の三方向に侵入者阻止用具を固定した場合を示している。尚、固定用バンドとしては実用新案登録第3113710号公報のような軸線を中心とした環状のバンド本体と、前記バンド本体の一端側に設けられ前記軸線と長手方向を平行に設けた軸と、前記バンド本体の他端側に設けられ前記軸を回動自在に設ける軸受と、該軸受と前記軸との間に介在し前記軸の固定手段とを備えた固定用バンドのようなものを用いてもよい。
【００３９】
前記実施例では、請求項４に対応して、一方の縁４に長手方向Ｘと直交する幅方向の内外方向に貫通する第三の貫通部16を長手方向Ｘに沿って設けられることで、パイプ19に取り付け板部３を当接して侵入者阻止用具を取り付け、固定用バンド20をパイプ19の外周に巻装する際、固定用バンド20が貫通する第三の貫通部16はパイプ19の外周に近いため、固定用バンド20を可及的にパイプ19の外周に沿うようにパイプ20に巻装できるので、緩みが生じにくく確実に侵入者阻止用具をパイプ19に固定することができる。
【実施例６】
【００４０】
図９に示した侵入者阻止用具を利用した実施例６では、連結部13の上部に間隔を介して上部連結部13´を設けると共に、上部連結部13´の上方に第二の上部12´を設けた侵入者阻止用具を固定用バンド20を介してパイプ19に固定したものである。
【産業上の利用可能性】
【００４１】
以上のように本考案にかかる侵入者阻止用具は、各種の用途に適用できる。
【符号の説明】
【００４２】
１  仕切り部
２  上面
３  取り付け板部
４  一方の縁
５  第一の上部
６  連設板部
７  第一の下部
８  第一の突片
９  端面
10  第一の貫通部
11  第二の貫通部
12  12´  第二の上部
13  13´  連結部
14  第二の突片
16  第三の貫通部
Ｘ  長手方向
【図１】
0003175990.tif 000003
【図２】
0003175990.tif 000004
【図３】
0003175990.tif 000005
【図４】
0003175990.tif 000006
【図５】
0003175990.tif 000007
【図６】
0003175990.tif 000008
【図７】
0003175990.tif 000009
【図８】
0003175990.tif 000010
【図９】
0003175990.tif 000011
【図１０】
0003175990.tif 000012